(57)【要約】【課題】目の画像を撮影する際に、目の位置を装置に対して適切な位置に保持し、目の画像を確実に取得する。【解決手段】目の撮影を行う場合、筐体部４０−１を、筐体部４０−２に対して所定の角度（例えば、略直角）になる位置まで開いた状態にして、筐体部４０−２を把持し、筐体部４０−１の端部４１を額に接触させて虹彩認証装置３０がぶれないように支持する。この状態では、筐体部４０−２のカメラ４６は、使用者の目の視線の先に所定の間隔Ｄの距離を維持した位置に位置付けされる。認証開始ボタンを押下すると、制御部５１の制御により、光源４７が発光して目が照射されると共に、カメラ４６により目が撮影される。虹彩認識部５４により、撮影した目の画像から虹彩データが抽出され、虹彩認識辞書５５に登録されている虹彩データと比較されて、使用者が本人かどうかが認識される。【選択図】図１
2009193198.tif 000002
【特許請求の範囲】
【請求項１】
個体の目の付近に接触させるための第１の端部、及び前記第１の端部に対して所定距離離れた第２の端部を有する第１の筐体部と、
前記第１の筐体部の第２の端部に、連結手段によって開閉自在に連結された第２の筐体部と、
前記第２の筐体部に設けられ、前記第２の筐体部に対して前記第１の筐体部が開いた状態下で、前記目に対して光を照射する照明手段と、
前記第２の筐体部に設けられ、前記光で照射された前記目を撮影して前記目の画像を取得する撮影手段と、
前記第２の筐体部又は前記第１の筐体部に設けられ、前記取得された目の画像から虹彩データを抽出してこの抽出された虹彩データと予め登録された虹彩データとを照合して前記個体を認識する認識手段とを有し、
前記第１の端部が前記目の付近に接触している状態下において、前記撮影手段により前記撮影を行うことを特徴とする虹彩認証装置。
【請求項２】
前記連結手段は、前記第２の筐体部に対して前記第１の筐体部を略直角に開いた状態で係止する機能を有することを特徴とする請求項１記載の虹彩認証装置。
【請求項３】
請求項１又は２記載の虹彩認証装置には、更に、
前記第１の端部に設けられ、前記第１の端部が前記目の付近に接触したことを検知して前記撮影を行わせる検知手段を有することを特徴とする虹彩認証装置。
【請求項４】
個体の目の付近に接触させるための第１の端部、及び前記第１の端部に対して所定距離離れた第２の端部を有する第１の筐体部と、
前記目の付近に接触させるための第３の端部、及び前記第３の端部に対して所定距離離れた第４の端部を有する第２の筐体部と、
前記第２の端部と前記第４の端部とを開閉自在に連結する連結部と、
前記連結部の近傍に設けられ、前記第１及び第２の筐体部が開いた状態下で、前記目に対して光を照射する照明手段と、
前記連結部の近傍に設けられ、前記光で照射された前記目を撮影して前記目の画像を取得する撮影手段と、
前記第１の筐体部又は前記第２の筐体部に設けられ、前記取得された目の画像から虹彩データを抽出してこの抽出された虹彩データと予め登録された虹彩データとを照合して前記個体を認識する認識手段とを有し、
前記第１及び第３の端部が前記目の付近に接触している状態下において、前記撮影手段により前記撮影を行うことを特徴とする虹彩認証装置。
【請求項５】
前記連結部は、前記第１及び第２の筐体部を鋭角に開いた状態で係止する機能を有することを特徴とする請求項４記載の虹彩認証装置。
【請求項６】
請求項４又は５記載の虹彩認証装置には、更に、
前記第１及び第３の端部にそれぞれ設けられ、前記第１及び第３の端部が前記目の付近に接触したことを検知して前記撮影を行わせる検知手段を有することを特徴とする虹彩認証装置。
【請求項７】
前記撮影手段は、前記撮影時に焦点距離をおよそ前記撮影手段と前記目との間の距離に予め制御する構成にしたことを特徴とする請求項１〜６のいずれか１項に記載の虹彩認証装置。
【請求項８】
前記個体は、人であることを特徴とする請求項１〜７のいずれか１項に記載の虹彩認証装置。
【発明の詳細な説明】
【技術分野】
【０００１】
本発明は、個体（例えば、人、動物等）の目の虹彩により個体の認証を行う虹彩認証装置において、目の画像を撮影する際に、目の位置を装置に対して適切な位置に保持し、目の画像を確実に取得できるようにした技術に関するものである。
【背景技術】
【０００２】
従来、人の目の虹彩部分の画像を用いた虹彩認証装置が、下記の文献等に開示されている。
【０００３】
【特許文献１】特開２００５−２９２５４２号公報
【特許文献２】特開２００５−３２７１６１号公報
【特許文献３】特開２００８−１５８８４号公報
【０００４】
図６は、特許文献１、２、３等に記載された従来の携帯端末型虹彩認証装置の外観を示す概略の構造図である。
【０００５】
この携帯端末型虹彩認証装置１０は、携帯端末本体１１を有し、この携帯端末本体１１の背面に、カメラ１２と、照明用光源１３と、表示部１４等とが搭載されている。照明用光源１３は、カメラ１２により目を撮影し、この目の画像を取得する際、発光させて光を目に照射するものであり、その発光に同期してカメラ１２のシャッタを動作させ目を撮影するようになっている。携帯端末本体１１内には、図示しない虹彩認証装置本体が設けられている。この携帯認証装置本体は、虹彩認証部、及び虹彩認識辞書等により構成されている。
【０００６】
図７は、図６の携帯端末型虹彩認証装置１０における使用状態を示す図である。
この図７には、携帯端末型虹彩認証装置１０により、使用者２０が目２１の撮影を行う際に、装置を目２１に位置付ける方法が示されている。
【０００７】
使用者２０は、携帯端末型虹彩認証装置１０を用いて目２１の認証を行う時には、携帯端末本体１１を手２２で把持して自身の目２１の前方に掲げ、カメラ１２を目２１の視線の前方に位置付け、目２１とカメラ１２との間を所定の間隔Ｄだけ空けて撮影を行う。撮影された目２１の画像は、携帯端末本体１１に内蔵された図示しない虹彩認識部へ送られ、目２１の画像から虹彩データが抽出され、図示しない虹彩認識辞書に予め格納され登録されている虹彩データと比較され、使用者２０が本人かどうか認識される。
【発明の開示】
【発明が解決しようとする課題】
【０００８】
しかしながら、従来の虹彩認証装置１０では、以下のような課題があった。
虹彩認証装置１０を用いて目２１を撮影する場合、目２１の画像を認識に適した状態で取得するために、目２１と虹彩認識装置１０との間隔Ｄは、カメラ１２の撮影距離等の設定に合わせ、一定の距離を維持する必要がある。しかし、従来の虹彩認証装置１０では、間隔Ｄが使用者２０の手ぶれ等により、常に一定に保たれるのが難しい場合がある。
【０００９】
このような場合には、装置側に間隔Ｄの距離の補正を行うための機構を設けることも考えられるが、そういった機構を用いた場合においても、距離の補正には誤差が伴い、誤差の修正処理により、正しい位置とされて目２１の虹彩の撮影が行われるまでに時間が掛かったり、距離の修正がうまくいかず誤った位置で画像が撮影されて、結果として認証精度が低下したりすることがあった。
【課題を解決するための手段】
【００１０】
本発明の虹彩認証装置では、個体の目の付近に接触させるための第１の端部、及び前記第１の端部に対して所定距離離れた第２の端部を有する第１の筐体部と、前記第１の筐体部の第２の端部に、連結手段によって開閉自在に連結された第２の筐体部と、前記第２の筐体部に設けられ、前記第２の筐体部に対して前記第１の筐体部が開いた状態下で、前記目に対して光を照射する照明手段と、前記第２の筐体部に設けられ、前記光で照射された前記目を撮影して前記目の画像を取得する撮影手段と、前記第２の筐体部又は前記第１の筐体部に設けられ、前記取得された目の画像から虹彩データを抽出してこの抽出された虹彩データと予め登録された虹彩データとを照合して前記個体を認識する認識手段とを有している。そして、前記第１の端部が前記目の付近に接触している状態下において、前記撮影手段により前記撮影を行うことを特徴とする。
【００１１】
本発明の他の虹彩認証装置では、個体の目の付近に接触させるための第１の端部、及び前記第１の端部に対して所定距離離れた第２の端部を有する第１の筐体部と、前記目の付近に接触させるための第３の端部、及び前記第３の端部に対して所定距離離れた第４の端部を有する第２の筐体部と、前記第２の端部と前記第４の端部とを開閉自在に連結する連結部と、前記連結部の近傍に設けられ、前記第１及び第２の筐体部が開いた状態下で、前記目に対して光を照射する照明手段と、前記連結部の近傍に設けられ、前記光で照射された前記目を撮影して前記目の画像を取得する撮影手段と、前記第１の筐体部又は前記第２の筐体部に設けられ、前記取得された目の画像から虹彩データを抽出してこの抽出された虹彩データと予め登録された虹彩データとを照合して前記個体を認識する認識手段とを有している。そして、前記第１及び第３の端部が前記目の付近に接触している状態下において、前記撮影手段により前記撮影を行うことを特徴とする。
【発明の効果】
【００１２】
本発明の虹彩認証装置によれば、目の撮影を行う際に、虹彩認証装置を開いて第１の筐体部の第１の端部を目の付近に接触させる構成になっているので、撮影手段と目の間隔を常に一定に維持しながら虹彩認証装置を把持することができる。これにより、目と撮影手段との間隔が安定的に維持されつつ虹彩認証装置の位置を支えた状態で撮影を行うことができるので、認証に適した目画像を速やかに撮影でき、この結果、認識精度が向上する。その上、第１の筐体部は、照明や日光等の外光を遮る役割を果たすので、より品質の良い目画像を撮影できて認識精度が向上する。
【００１３】
本発明の他の虹彩認証装置によれば、目の撮影を行う際に、虹彩認証装置を開いて第１及び第２の筐体部の第１及び第３の端部を目の付近に接触させる構成になっているので、撮影手段と目の間隔を常に一定に維持しながら虹彩認証装置を把持することができる。これにより、目と撮影手段との間隔が安定的に維持されつつ虹彩認証装置の位置を支えた状態で撮影を行うことができるので、認証に適した目画像を速やかに撮影でき、この結果、認識精度が向上する。その上、第１の筐体部と第２の筐体部とが、照明や日光等の外光を遮る役割を果たすので、より品質の良い目画像が撮影できて認識精度が向上する。
【発明を実施するための最良の形態】
【００１４】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００１５】
（実施例１の構成）
図１（Ａ）、（Ｂ）は、本発明の実施例１を示す携帯端末型虹彩認証装置の概略の構成図であり、同図（Ａ）は携帯端末型虹彩認証装置の外観図、及び、同図（Ｂ）は同図（Ａ）中の虹彩認証装置本体の構成図である。
【００１６】
図１（Ａ）に示す携帯端末型虹彩認証装置３０は、携帯端末装置（例えば、携帯電話機）を構成する第１の筐体部４０−１及び第２の筐体部４０−２を有している。第１の筐体部４０−１は、個体（例えば、人）の頭部中の目の付近の額に接触させるための第１の端部４１と、この第１の端部４１に対して所定距離離れた第２の端部４２を有している。同様に、第２の筐体部４０−２も、第３の端部４３と、この第３の端部４３に対して所定距離離れた第４の端部４４とを有している。第２の端部４２と第４の端部４４とは、連結手段（例えば、蝶番からなる連結部）４５によって互いに開閉自在に連結されている。
【００１７】
第２の筐体部４０−２の開閉面側には、レンズ、シャッタ等からなるカメラ４６と、光を発生する照明からなる照明用光源４７等とが設けられている。更に、第１の筐体部４０−１又は第２の筐体部４０−２の開閉面側には、図１（Ｂ）に示すテンキー等の操作部４８と、図示しない液晶表示器等の表示部等とが設けられている。照明用光源４７は、カメラ４６により目を撮影し、この目の画像を取得する際、光を発生して目を照射するものであり、その光の発生に同期してカメラ４６のシャッタを動作させて目を撮影するようになっている。
【００１８】
図１（Ｂ）に示す虹彩認証装置本体５０は、第１の筐体部４０−１又は第２の筐体部４０−２に内蔵されており、操作部４８からの操作信号に基づき装置全体の動作を制御する制御部５１と、この制御部５１に接続され、カメラ４６を有する撮影手段（例えば、撮影部）５２と、この撮影部５２に接続され、光源４７を有する照明手段（例えば、照明部）５２と、撮影部５２に接続された認識手段（例えば、虹彩認識部）５４と、この虹彩認識部５４に接続された虹彩認識辞書５５等とを有している。
【００１９】
撮影部５２は、カメラ４６のレンズ、シャッタ等を動作させて、カメラ４６の前方に配置された被写体である目を撮影して目の画像を取得するものであり、例えば、撮影時に焦点距離をおよそカメラ４６と目との間の距離に予め制御する構成になっている。照明部５３は、撮影部５２により目を撮影するタイミングに同期して、光源４７を発光させて光を目に照射する機能を有している。虹彩認識部５４は、撮影部５２から与えられる目の画像から虹彩データを抽出し、虹彩認識辞書５５に予め格納され登録されている虹彩データと比較することで、利用者が本人かどうかを認識する機能を有している。
【００２０】
このような虹彩認証機能に必要な各構成は、虹彩認証装置本体５０に組み込むソフトウェア、あるいは個別回路で構成されている。
【００２１】
なお、第１の筐体部４０−１の第１の端部４１には、この部分が使用者の目の付近の額に接触したことを検知する検知手段（例えば、接触センサ）４９を設け、この接触センサ４９により、カメラ４６による撮影を起動するような構成にしてもよい。
【００２２】
図２は、図１の携帯端末型虹彩認証装置３０における開閉状態を示す図である。
第１の筐体部４０−１の第２の端部４２と、第２の筐体部４０−２の第４の端部４４とは、連結部４５により、例えば０°〜１８０°位の範囲内で開閉自在に連結されている。連結部４５は、第２の筐体部４０−２に対して第１の筐体部４０−１を所定角度α（例えば、略直角）に開いた状態で係止する機能を有している。
【００２３】
（実施例１の動作）
図３は、図１の携帯端末型虹彩認証装置３０における使用状態を示す図である。
この図３には、携帯端末型虹彩認証装置３０により、使用者２０が目２１の撮影を行う際に、装置を目２１に位置付ける方法が示されている。
【００２４】
使用者２０は、携帯端末型虹彩認証装置３０を用いて目２１の撮影を行う場合、第１の筐体部４０−１を、第２の筐体部４０−２に対して略直角になる位置まで開いた状態にして、第２の筐体部４０−２の一端を手２２で把持し、第１の筐体部４０−１の第１の端部４１を額に接触させて虹彩認証装置３０がぶれないように支持する。この状態では、第２の筐体部４２のカメラ４６は、使用者２０の目２１の視線の先に所定の間隔Ｄの距離を維持した位置に位置付けされる。撮影部５２は、撮影時には、カメラ４６の焦点距離を目２１とカメラ４６との間隔Ｄに相当する距離に制御する（即ち、カメラ４６のピントを間隔Ｄに相当する距離に固定する）か、あるいは、撮影時に、カメラ４６の焦点補正機能を目２１とカメラ４６との間隔Ｄに相当する距離の前後、例えば２ｃｍ程度に制限する制御をする（即ち、カメラ４６のピント合わせの範囲を間隔Ｄに相当する距離の近くだけにする）。
【００２５】
そして、操作部４８中の図示しない認証開始ボタンを押下する。すると、制御部５１の制御により、撮影部５２がカメラ４６を動作させて前方の目２１を撮影する。この際、照明部５３は、撮影部５２により目２１を撮影するタイミングに同期して、光源４７を発光させて目２１を照射する。虹彩認識部５４では、撮影した目２１の画像から虹彩データを抽出し、虹彩認識辞書５５に予め格納され登録されている虹彩データと比較することで、使用者２０が本人かどうかを認識する。
【００２６】
なお、第１の筐体部４０−１に接触センサ４９が設けられている場合には、第１の筐体部４０−１の第１の端部４１が額に接触すると、これが接触センサ４９により検知され、制御部５１の制御によってカメラ４６による撮影が行われる。
【００２７】
（実施例１の効果）
本実施例１によれば、次の（ａ）、（ｂ）のような効果がある。
【００２８】
（ａ）  使用者２０が目２１の撮影を行う際に、虹彩認証装置３０を開いて第１の筐体部４０−１の第１の端部４１を使用者２０の額に接触させる構成になっているので、カメラ４６と目２１の間隔Ｄを常に一定に維持しながら虹彩認証装置３０を把持することができる。これにより、目２１とカメラ４６との間隔Ｄが安定的に維持されつつ虹彩認証装置３０の位置を支えた状態で撮影を行うことができるので、認証に適した目画像を速やかに撮影でき、この結果、認識精度が向上する。その上、第１の筐体部４０−１は、照明や日光等の外光を遮る役割を果たすので、より品質の良い目画像を撮影できて認識精度が向上する。
【００２９】
（ｂ）  撮影部５２は、撮影時には、カメラ４６のピントを間隔Ｄに相当する距離に固定するか、あるいは、撮影時に、カメラ４６のピント合わせの範囲を間隔Ｄに相当する距離の近くだけにするような構成になっている。これにより、目２１の位置が前後左右に多少ずれた場合でも、カメラ４６の焦点距離と目２１の位置までの距離がおおよそ一致する。又、一致しなくても、目２１が被写体深度内に収まることにより、ピンボケなど起こらずに、認証に適した目画像を速やかに撮影でき、この結果、認識精度が向上する。
【実施例２】
【００３０】
（実施例２の構成）
図４（Ａ）、（Ｂ）は、本発明の実施例２を示す携帯端末型虹彩認証装置の概略の構成図であり、同図（Ａ）は携帯端末型虹彩認証装置の外観図、及び、同図（Ｂ）は同図（Ａ）中の虹彩認証装置本体の構成図である。この図４において、実施例１を示す図１中の要素と共通の要素には共通の符号が付されている。
【００３１】
図４（Ａ）に示す携帯端末型虹彩認証装置３０Ａは、実施例１と同様に、携帯端末装置（例えば、携帯電話機）を構成する第１の筐体部４０−１及び第２の筐体部４０−２を有している。第１の筐体部４０−１は、人の目の上方の額付近に接触させるための第１の端部４１と、この第１の端部４１に対して所定距離離れた第２の端部４２を有している。第２の筐体部４０−２も、目の下方の頬骨周辺に接触させるための第３の端部４３と、この第３の端部４３に対して所定距離離れた第４の端部４４とを有している。第２の端部４２と第４の端部４４とは、蝶番からなる連結部４５Ａにより、例えば０°〜１８０°位の範囲内で開閉自在に連結されている。連結部４５Ａは、第２の筐体部４０−２に対して第１の筐体部４０−１を所定角度α（例えば、「くの字」状の鋭角）に開いた状態で係止する機能を有している。
【００３２】
本実施例２では、実施例１と異なり、カメラ４６と照明用光源４７が、第１及び第２の筐体部４０−１，４０−２における開閉面側の連結部４５Ａ近傍に設けられている。更に、実施例１と同様に、第１、第２の筐体部４０−１，４０−２の開閉面側には、図４（Ｂ）に示す操作部４８と、図示しない表示部等とが設けられている。
【００３３】
図４（Ｂ）に示す虹彩認証装置本体５０Ａは、実施例１と同様に、第１の筐体部４０−１又は第２の筐体部４０−２に内蔵されており、制御部５１、カメラ４６を有する撮影部５２、光源４７を有する照明部５２、虹彩認識部５４、及び虹彩認識辞書５５等により構成されている。
【００３４】
なお、実施例１とほぼ同様に、第１の筐体部４０−１の第１の端部４１と、第２の筐体部４０−２の第３の端部４３とには、これらの部分が使用者の目の付近に接触したことを検知する接触センサ４９−１，４９−２をそれぞれ設け、この接触センサ４９−１，４９−２により、カメラ４６による撮影を起動するような構成にしてもよい。
【００３５】
（実施例２の動作）
図５は、図４の携帯端末型虹彩認証装置３０Ａにおける使用状態を示す図である。
この図５には、携帯端末型虹彩認証装置３０Ａにより、使用者２０が目２１の撮影を行う際に、装置を目２１に位置付ける方法が示されている。
【００３６】
使用者２０は、携帯端末型虹彩認証装置３０Ａを用いて目２１の虹彩の撮影を行う場合、第１の筐体部４０−１と第２の筐体部４０−が、「くの字」状になるように、両者の間の角度αが鋭角になる位置まで開いた状態にする。第１の筐体部４０−１と第２の筐体部４０−２の連結部付近（図５の破線内）を片手２２或いは両手２２，２２で保持し、第１及び第３の端部４１，４３を目２１の付近に接触させる。この時、第１の端部４１は、目２１の上方にあって額付近に接し、第３の端部４３は、目２１の下方にあって頬骨周辺に接する。このようにして携帯端末型虹彩認証装置３０Ａが２点によりぶれないように支えられる。この状態では、カメラ４６が、使用者２０の目２１の視線の先に所定の間隔Ｄの距離を維持した位置に位置付けされる。撮影部５２は、実施例１と同様に、撮影時には、カメラ４６の焦点距離を目２１とカメラ４６との間隔Ｄに相当する距離に制御するか、あるいは、撮影時に、カメラ４６の焦点補正機能を目２１とカメラ４６との間隔Ｄに相当する距離の前後、例えば２ｃｍ程度に制限する制御をする。
【００３７】
そして、実施例１と同様に、操作部４８中の図示しない認証開始ボタンを押下すると、制御部５１の制御により、照明部５３が光源４７を発光させて前方の目２１を照射すると共に、撮影部５２がカメラ４６を動作させて目２１を撮影する。虹彩認識部５４により、撮影した目２１の画像から虹彩データが抽出され、虹彩認識辞書５５に予め格納され登録されている虹彩データと比較されて、使用者２０が本人かどうかが認識される。
【００３８】
なお、第１及び第２の筐体部４０−１，４０−２に接触センサ４９−１，４９−２がそれぞれ設けられている場合には、実施例１とほぼ同様に、第１及び第２の筐体部４０−１，４０−２の第１及び第３の端部４１，４３が目２１の付近に接触すると、これが接触センサ４９−１，４９−２により検知され、制御部５１の制御によってカメラ４６による撮影が行われる。
【００３９】
（実施例２の効果）
本実施例２によれば、次の（１）、（２）のような効果がある。
【００４０】
（１）  使用者２０が目２１の撮影を行う際に、虹彩認証装置３０Ａを開いて第１及び第２の筐体部４０−１，４０−２の第１及び第３の端部４１，４３を使用者２０の目２１の付近に接触させる構成になっているので、カメラ４６と目２１の間隔Ｄを常に一定に維持しながら虹彩認証装置３０Ａを把持することができる。これにより、目２１とカメラ４６との間隔Ｄが安定的に維持されつつ虹彩認証装置３０Ａの位置を支えた状態で撮影を行うことができるので、認証に適した目画像を速やかに撮影でき、この結果、認識精度が向上する。その上、第１の筐体部４０−１と第２の筐体部４０−２とが、照明や日光等の外光を遮る役割を果たすので、より品質の良い目画像が撮影できて認識精度が向上する。
【００４１】
（２）  実施例１の効果（ｂ）と同様の効果がある。
【００４２】
（変形例）
本発明は、上記実施例に限定されず、種々の利用形態や変形が可能である。この利用形態や変形例としては、例えば、次の（ａ）、（ｂ）のようなものがある。
【００４３】
（ａ）  実施例では、虹彩認証装置３０，３０Ａを携帯電話機に搭載した例を説明したが、ＰＤＡ（Personal  Digital  Assistant）等の他の携帯端末装置に搭載してもよい。又、虹彩認証装置本体５０，５０Ａは、精度の向上や用途の拡大等を図るために、図示以外の他の機能ブロックを追加する等してもよい。
【００４４】
（ｂ）  実施例では、人の目の虹彩認証装置について説明したが、本発明は、人以外の動物等の目の虹彩認証にも利用可能である。
【図面の簡単な説明】
【００４５】
【図１】本発明の実施例１を示す携帯端末型虹彩認証装置の概略の構成図である。
【図２】図１の携帯端末型虹彩認証装置３０における開閉状態を示す図である。
【図３】図１の携帯端末型虹彩認証装置３０における使用状態を示す図である。
【図４】本発明の実施例２を示す携帯端末型虹彩認証装置の概略の構成図である。
【図５】図４の携帯端末型虹彩認証装置３０Ａにおける使用状態を示す図である。
【図６】従来の携帯端末型虹彩認証装置の外観を示す概略の構造図である。
【図７】図６の携帯端末型虹彩認証装置１０における使用状態を示す図である。
【符号の説明】
【００４６】
３０，３０Ａ      虹彩認証装置
４０−１，４０−２      筐体部
４１〜４４      端部
４５，４５Ａ      連結部
４６      カメラ
４６      光源
４９，４９−１，４９−２      接触センサ
５０，５０Ａ      虹彩認証装置本体
５２      撮影部
５３      照明部
５４      虹彩認識部
５５      虹彩認識辞書
【図１】
2009193198.tif 000003
【図２】
2009193198.tif 000004
【図３】
2009193198.tif 000005
【図４】
2009193198.tif 000006
【図５】
2009193198.tif 000007
【図６】
2009193198.tif 000008
【図７】
2009193198.tif 000009